【手続補正書】
【提出日】平成27年10月5日(2015.10.5)
【手続補正１】
【補正対象書類名】特許請求の範囲
【補正対象項目名】全文
【補正方法】変更
【補正の内容】
【特許請求の範囲】
【請求項１】
電源供給から複数の電力貯蔵装置への電流の供給用のシステムであって、
前記電流を電源供給から受け取るように構成され、前記複数の電力貯蔵装置のうちの第１の電力貯蔵装置に電流を供給するように構成された第１の充電装置と、
前記第１の充電装置に結合された電流制御装置であって、電流を前記電源供給から受け取るかまたは前記第１の電力貯蔵装置に供給するかの少なくとも一方を選択的に可能にするように構成された電流制御装置と、
前記第１の充電装置に結合されてネットワークを形成する少なくとも１つの第２の充電装置であって、前記電流を電源供給から受け取るように構成され、前記複数の電力貯蔵装置のうちの第２の電力貯蔵装置に電流を供給するように構成された第２の充電装置と、を含み、
前記第１の充電装置は、第１のプロセッサであって、
前記第１の充電装置に付随する第１の充電パラメータを決定することと、
前記第１の充電装置がネットワーク・トークンを保有するか否かを判定することと、保有する場合には、
前記第２の充電装置に付随する第２の充電パラメータを決定することと、
前記電源供給から受け取るべきまたは前記第１の電力貯蔵装置に供給するべきの少なくとも一方の第２の電流量を、前記決定された第１および前記第２の充電パラメータに少なくとも部分的に基づいて決定することと、
前記決定された第２の電流量を前記第１の充電装置によって受け取るかまたは前記第１の電力貯蔵装置に供給するかの少なくとも一方を可能にすることと、を行なうようにプログラムされた第１のプロセッサを含むシステム。
【請求項２】
前記第１のプロセッサはさらに、前記ネットワークに付随する第３の充電パラメータを決定するようにプログラムされている請求項１に記載のシステム。
【請求項３】
前記第２の充電装置が前記ネットワーク・トークンを保有しているときに、前記第１のプロセッサはさらに、前記第１の充電装置に付随する前記第１の充電パラメータを前記少なくとも１つの第２の充電装置に、第２の充電パラメータ・データ要求を前記少なくとも１つの第２の充電装置から受け取ることに応答して通信するようにプログラムされている請求項１または２に記載のシステム。
【請求項４】
前記第１のプロセッサは、前記第２の電流量が所定の最小電流閾値以上である場合に前記第２の電流量を可能にするようにプログラムされている請求項１乃至３のいずれかに記載のシステム。
【請求項５】
前記第１の充電装置は前記ネットワーク・トークンを作成するように構成されている請求項１乃至４のいずれかに記載のシステム。
【請求項６】
前記第１の充電装置はさらに、前記ネットワーク・トークンを前記第２の充電装置に所定の時間後に与えるように構成されている請求項５に記載のシステム。
【請求項７】
前記第１の充電装置に付随する前記第１の充電パラメータには、前記第１の充電装置によって受け取られるかまたは供給されるかの少なくとも一方の第１の電流量が含まれる請求項１乃至６のいずれかに記載のシステム。
【請求項８】
電力貯蔵装置を充電するための充電装置であって、
電流を前記電源供給から受け取るかまたは前記電力貯蔵装置に供給するかの少なくとも一方を選択的に可能にするように構成された電流制御装置と、
少なくとも１つの第２の充電装置に結合してネットワークを形成するように構成されたネットワーク・インターフェースと、
前記電流制御装置に結合されたプロセッサと、を含み、
前記プロセッサは、
前記充電装置に付随する第１の充電パラメータを決定することと、
前記充電装置がネットワーク・トークンを保有するか否かを判定することと、保有する場合には、
前記第２の充電装置に付随する第２の充電パラメータを決定することと、前記電源供給から受け取るべきまたは前記電力貯蔵装置に供給するべきの少なくとも一方の第２の電流量を、前記決定された第１および第２の充電パラメータに少なくとも部分的に基づいて決定することと、
前記決定された第２の電流量を前記充電装置によって受け取るかまたは前記第１の電力貯蔵装置に供給するかの少なくとも一方を可能にすることと、を行なうようにプログラムされている充電装置。
【請求項９】
前記充電装置は、配電装置に結合されるように構成され、さらに前記配電装置から前記電力貯蔵装置に電流を供給するように構成されている請求項８に記載の充電装置。
【請求項１０】
前記充電装置が前記ネットワーク・トークンを保有するときに、前記第１のプロセッサはさらに、第１の充電パラメータ・データ要求を前記少なくとも１つの第２の充電装置に送信し、前記充電パラメータ・データを前記少なくとも１つの第２の充電装置から受け取るようにプログラムされている請求項８または９に記載の充電装置。
【請求項１１】
前記第１のプロセッサはさらに、前記第２の充電装置が前記ネットワーク・トークンを保有しているときに、前記充電装置に付随する前記第１の充電パラメータ・データを前記少なくとも１つの第２の充電装置に、第２の充電パラメータ・データ要求を前記少なくとも１つの第２の充電装置から受け取ることに応答して通信するようにプログラムされている請求項８乃至１０のいずれかに記載の充電装置。
【請求項１２】
前記第１のプロセッサはさらに、前記第２の電流量が所定の最小電流閾値以上である場合に、前記第２の電流量を可能にするようにプログラムされている請求項８乃至１１のいずれかに記載の充電装置。
【請求項１３】
前記充電装置に付随する前記第１の充電パラメータには、前記充電装置によって受け取られるかまたは供給されるかの少なくとも一方の第１の電流量が含まれる請求項８乃至１２のいずれかに記載の充電装置。
【請求項１４】
前記プロセッサはさらに、前記ネットワーク内のいくらかの充電装置によって前記配電装置の電流分配限界を分割することによって供給されるべき前記第２の電流量を決定するようにプログラムされている請求項８乃至１３のいずれかに記載の充電装置。
【請求項１５】
電力貯蔵装置に電流を供給する方法であって、
ネットワーク内に少なくとも第１の充電装置および第２の電力装置の数を構成することであって、前記第１の充電装置は、電流を前記電源供給から受け取るかまたは前記電力貯蔵装置に供給するかの少なくとも一方を選択的に可能にするように構成された電流制御装置を含む、構成することと、
前記第１の充電装置がネットワーク・トークンを保有するか否かを判定することと、保有する場合には、
前記第１の充電装置に付随する第１の充電パラメータを決定することと、
前記第２の充電装置に付随する第２の充電パラメータを決定することと、
前記電源供給から受け取るべきまたは前記第１の電力貯蔵装置に供給するべきの少なくとも一方の第２の電流量を、前記決定した第１および前記第２の充電パラメータに少なくとも部分的に基づいて決定することと、
前記決定された第２の電流量を前記第１の充電装置によって受け取るかまたは前記第１の電力貯蔵装置に供給するかの少なくとも一方を可能にすることと、を含む方法。
【請求項１６】
前記第２の充電装置に付随する第２の充電パラメータを前記決定することには、第１の充電パラメータ・データ要求を前記少なくとも１つの第２の充電装置に送信することと、前記充電パラメータ・データを前記少なくとも１つの第２の充電装置から受け取ることと、が含まれる請求項１５に記載の方法。
【請求項１７】
前記第１の充電装置に付随する前記第１の充電パラメータには、前記第１の充電装置によって受け取られるかまたは供給されるかの少なくとも一方の第１の電流量が含まれる請求項１５または１６に記載の方法。
【請求項１８】
前記ネットワーク・トークンを前記第２の充電装置に所定の時間後に与えることをさらに含む請求項１７に記載の方法。
【請求項１９】
前記ネットワーク・トークンを前記第２の充電装置に所定の時間後に与えることと、
前記第２の充電装置が前記ネットワーク・トークンを保有しているときに、前記第１の充電装置に付随する前記第１の充電パラメータ・データを前記少なくとも１つの第２の充電装置に、第２の充電パラメータ・データ要求を前記少なくとも１つの第２の充電装置から受け取ることに応答して通信することと、をさらに含む請求項１８に記載の方法。